(57)【要約】【課題】小型化と変倍比を確保でき、光学性能の確保のバランスを良好に達成できるズームレンズを提供すること。【解決手段】物体側から順に、正第１レンズ群Ｇ１と、負第２レンズ群Ｇ２と、正第３レンズ群Ｇ３と、正第４レンズ群Ｇ４を有し、広角端から望遠端へのズーミング時に、第１レンズ群Ｇ１と第２レンズ群Ｇ２との間の間隔が広がり、第２レンズ群Ｇ２と第３レンズ群Ｇ３との間の間隔が狭まり、第３レンズ群Ｇ３と第４レンズ群Ｇ４との間の間隔が変化し、第１レンズ群Ｇ１は１枚の正レンズからなり、第２レンズ群Ｇ２は、物体側から順に、負レンズと正レンズとからなり、第２レンズ群Ｇ２の負レンズは両凹負レンズであり、第３レンズ群Ｇ３は、物体側から順に、正レンズと正レンズと負レンズとからなり、望遠端における第２レンズ群Ｇ２と第３レンズ群Ｇ３との合成焦点距離が負である。【選択図】        図１
2007286492.tif 000002
【特許請求の範囲】
【請求項１】
物体側から順に、
正の屈折力の第１レンズ群と、
負の屈折力の第２レンズ群と、
正の屈折力の第３レンズ群と、
正の屈折力の第４レンズ群を有し、
広角端から望遠端へのズーミング時に、
前記第１レンズ群と前記第２レンズ群との間の間隔が広がり、
前記第２レンズ群と前記第３レンズ群との間の間隔が狭まり、
前記第３レンズ群と前記第４レンズ群との間の間隔が変化し、
前記第１レンズ群は１枚の正レンズからなり、
前記第２レンズ群は、物体側から順に、負レンズと、正レンズとの２枚のレンズからなり、
前記第２レンズ群の前記負レンズは両凹負レンズであり、
前記第３レンズ群は、物体側から順に、正レンズと、正レンズと、負レンズとの３枚のレンズからなり、
望遠端における前記第２レンズ群と前記第３レンズ群との合成焦点距離が負であることを特徴とするズームレンズ。
【請求項２】
物体側から順に、
正の屈折力の第１レンズ群と、
負の屈折力の第２レンズ群と、
正の屈折力の第３レンズ群と、
正の屈折力の第４レンズ群を有し、
広角端から望遠端へのズーミング時に、
前記第１レンズ群と前記第２レンズ群との間の間隔が広がり、
前記第２レンズ群と前記第３レンズ群との間の間隔が狭まり、
前記第３レンズ群と前記第４レンズ群との間の間隔が変化し、
前記第１レンズ群は１枚の正レンズからなり、
前記第２レンズ群は、物体側から順に、負レンズと、正レンズとの２枚のレンズからなり、
前記第３レンズ群は、物体側から順に、正レンズと、正レンズと、負レンズとの３枚のレンズからなり、
広角端から望遠端へのズーミング時に、
前記第１レンズ群、第２レンズ群、第３レンズは光軸に沿って移動し、
前記第４レンズ群は物体側に移動したあと像側に移動する移動軌跡を含むことを特徴とするズームレンズ。
【請求項３】
物体側から順に、
正の屈折力の第１レンズ群と、
負の屈折力の第２レンズ群と、
正の屈折力の第３レンズ群と、
正の屈折力の第４レンズ群を有し、
広角端から望遠端へのズーミング時に、
前記第１レンズ群と前記第２レンズ群との間の間隔が広がり、
前記第２レンズ群と前記第３レンズ群との間の間隔が狭まり、
前記第３レンズ群と前記第４レンズ群との間の間隔が変化し、
前記第１レンズ群は１枚の正レンズからなり、
前記第２レンズ群は、物体側から順に、負レンズと、正レンズとの２枚のレンズからなり、
前記第２レンズ群の前記負レンズは両凹負レンズであり、
前記第３レンズ群は、物体側から順に、正レンズと、負レンズとの２枚のレンズからなることを特徴とするズームレンズ。
【請求項４】
物体側から順に、
正の屈折力の第１レンズ群と、
負の屈折力の第２レンズ群と、
正の屈折力の第３レンズ群と、
正の屈折力の第４レンズ群を有し、
広角端から望遠端へのズーミング時に、
前記第１レンズ群と前記第２レンズ群との間の間隔が広がり、
前記第２レンズ群と前記第３レンズ群との間の間隔が狭まり、
前記第３レンズ群と前記第４レンズ群との間の間隔が変化し、
前記第１レンズ群は１枚の正レンズからなり、
前記第２レンズ群は、物体側から順に、負レンズと、正レンズとの２枚のレンズからなり、
前記第３レンズ群は、物体側から順に、正レンズと、両凹負レンズとの２枚のレンズからなることを特徴とするズームレンズ。
【請求項５】
前記第３レンズ群の直前に配置された明るさ絞りを有することを特徴とする請求項１から４の少なくとも何れか１項に記載のズームレンズ。
【請求項６】
前記ズームレンズを４群ズームレンズとしたことを特徴とする請求項１から５の少なくとも何れか１項に記載のズームレンズ。
【請求項７】
前記第４レンズ群が１枚の正レンズからなることを特徴とする請求項１から６の少なくとも何れか１項に記載のズームレンズ。
【請求項８】
以下の条件式を満足することを特徴とする請求項１から７の少なくとも何れか１項に記載のズームレンズ。
（１）    ０．５＜ｆT／ｆg1＜２．５
ただし、ｆTは前記ズームレンズの全系の望遠端での焦点距離、
ｆg1は前記第１レンズ群の焦点距離、
である。
【請求項９】
以下の条件式を満足することを特徴とする請求項１から８の少なくとも何れか１項に記載のズームレンズ。
（２）    −７＜ｆT／ｆg2＜−２
ただし、ｆTは前記ズームレンズの全系の望遠端での焦点距離、
ｆg2は前記第２レンズ群の焦点距離、
である。
【請求項１０】
以下の条件式を満足することを特徴とする請求項１から９の少なくとも何れか１項に記載のズームレンズ。
（３）    １．８＜ｆT／ｆg3＜６
ただし、前記ｆTはズームレンズの全系の望遠端での焦点距離、
前記ｆg3は前記第３レンズ群の焦点距離、
である。
【請求項１１】
以下の条件式を満足することを特徴とする請求項１から１０の少なくとも何れか１項に記載のズームレンズ。
（４）    １．５＜ｆg1／ｆg3＜３．０
ただし、ｆg1は前記第１レンズ群の焦点距離、
ｆg3は前記第３レンズ群の焦点距離、
である。
【請求項１２】
以下の条件式を満足することを特徴とする請求項１から１１の少なくとも何れか１項に記載のズームレンズ。
（５）    １．０＜ｆg1／ｆg4＜３．０
ただし、ｆg1は前記第１レンズ群の焦点距離、
ｆg4は前記第４レンズ群の焦点距離、
である。
【請求項１３】
以下の条件式を満足することを特徴とする請求項１から１２の少なくとも何れか１項に記載のズームレンズ。
（６）    −０．７＜ｆg2／ｆg4＜−０．１
ただし、ｆg2は前記第２レンズ群の焦点距離、
ｆg4は前記第４レンズ群の焦点距離、
である。
【請求項１４】
広角端での前記第２レンズ群と、前記第３レンズ群との合成焦点距離が正であり、
望遠端での前記第２レンズ群と、前記第３レンズ群との合成焦点距離が負であり、
以下の条件式を満足することを特徴とする請求項１から１３の少なくとも何れか１項に記載のズームレンズ。
（７）    −２．５＜ｆg23W／ｆg23T＜−０．１
ただし、ｆg23Wは前記第２レンズと、前記第３レンズ群との広角端での合成焦点距離、
ｆg23Tは前記第２レンズ群と、前記第３レンズ群との望遠端での合成焦点距離である。
【請求項１５】
以下の条件式を満足することを特徴とする請求項１から１４の少なくとも何れか１項に記載のズームレンズ。
（８）    −２．５＜ｆg1／ｆg23T＜−０．５
ただし、ｆg1は前記第１レンズ群の焦点距離、
ｆg23Tは前記第２レンズ群と、前記第３レンズ群との望遠端での合成焦点距離である。
【請求項１６】
以下の条件式を満足することを特徴とする請求項１から１５の少なくとも何れか１項に記載のズームレンズ。
（９）    １．８＜β2T／β2W＜４．０
ただし、β2Tは前記第２レンズ群の望遠端での横倍率、
β2Wは前記第２レンズ群の広角端での横倍率、
である。
【請求項１７】
以下の条件式を満足することを特徴とする請求項１から１６の少なくとも何れか１項に記載のズームレンズ。
（１０）    １．２＜β3T／β3W＜３．０
ただし、β3Tは前記第３レンズ群の望遠端での横倍率、
β3Wは前記第３レンズ群の広角端での横倍率、
である。
【請求項１８】
以下の条件式を満足することを特徴とする請求項１から１７の少なくとも何れか１項に記載のズームレンズ。
（１１）    ０．８５＜β4T／β4W＜２．０
ただし、β4Tは前記第４レンズ群の望遠端での横倍率、
β4Wは前記第４レンズ群の広角端での横倍率、
である。
【請求項１９】
前記第１レンズ群は広角端よりも望遠端において物体側に位置し、
以下の条件式を満足することを特徴とする請求項１から１８の少なくとも何れか１項に記載のズームレンズ。
（１２）    ０．５＜Ｄg1／Ｄ＜２．０
ただし、Ｄg1は前記第１レンズ群の広角端から望遠端までの移動距離、
Ｄは各レンズ群ごとの入射面から射出面までの軸上距離を総和した値、
である。
【請求項２０】
前記第３レンズ群は広角端よりも望遠端において物体側に位置し、
以下の条件式を満足することを特徴とする請求項１から１９の少なくとも何れか１項に記載のズームレンズ。
（１３）    ０．６５＜Ｄg3／Ｄ＜１．５
ただし、Ｄg3は前記第３レンズ群の広角端から望遠端までの移動距離、
Ｄは前記各レンズ群ごとの入射面から射出面までの軸上距離を総和した値、
である。
【請求項２１】
前記第２レンズ群中の前記負レンズを両凹レンズとし、
以下の条件式を満足することを特徴とする請求項１から２０の少なくとも何れか１項に記載のズームレンズ。
（１４）    −７＜ｒ2f／ｒ2r＜−０．５
ただし、ｒ2fは前記第２レンズ群中の負レンズの物体側面の近軸曲率半径、
ｒ2rは前記第２レンズ群中の負レンズの像側面の近軸曲率半径、
である。
【請求項２２】
前記第３レンズ群中の前記負レンズは両凹レンズであり、
以下の条件式を満足することを特徴とする請求項１から２１の少なくとも何れか１項に記載のズームレンズ。
（１５）    −４＜ｒ3f／ｒ3r＜−０．１
ただし、ｒ3fは前記第３レンズ群中の前記負レンズの物体側曲率半径、
ｒ3rは前記第３レンズ群中の前記負レンズの像側曲率半径、
である。
【請求項２３】
以下の条件式を満足することを特徴とする請求項１または２に記載のズームレンズ。
（１６）    ４．０＜ｆT／ｆW＜１０．０
ただし、ｆTは前記ズームレンズの全系の望遠端での焦点距離、
ｆWは前記ズームレンズの全系の広角端での焦点距離、
である。
【請求項２４】
以下の条件式を満足することを特徴とする請求項３または４に記載のズームレンズ。
（１６’）    ２．７＜ｆT／ｆW＜７．０
ただし、ｆTは前記ズームレンズの全系の望遠端での焦点距離、
ｆWは前記ズームレンズの全系の広角端での焦点距離、
である。
【請求項２５】
前記ズームレンズの全系の焦点距離が、広角端での前記ズームレンズの全系の焦点距離と望遠端での前記ズームレンズの全系の焦点距離との相乗平均となる状態を中間焦点距離状態としたとき、
前記第４レンズ群は、前記広角端及び前記望遠端での位置に対して、前記中間焦点距離状態にて物体側に位置し、
以下の条件式を満足することを特徴とする請求項１乃至２４の少なくとも何れか１項に記載のズームレンズ。
（１７）    ０．１＜（Ｄg4s−Ｄg4max）／Ｉｈ＜１.５
ただし、Ｄg4sは、中間焦点距離状態での第４レンズ群の像面からの距離、
Ｄg4maxは、広角端もしくは望遠端における第４レンズ群の像面からの距離のうち大きい方の値、
Ｉｈは最大像高、
である。
【請求項２６】
ズームレンズと、
前記ズームレンズの像側に配置され、前記ズームレンズにより形成された像を電気信号に変換する電子撮像素子を備え、
前記ズームレンズが請求項１から２５の少なくとも何れか１項に記載のズームレンズであることを特徴とする撮像装置。
【発明の詳細な説明】
【技術分野】
【０００１】
本発明は、ズームレンズに関するものである。特に、物体側から正、負、正、正の順の屈折力配置となるズームレンズに関するものである。また、このズームレンズを備えた撮像装置に関するものである。
【背景技術】
【０００２】
フィルムに代わり、ＣＣＤやＣＭＯＳといった電子撮像素子を用いて被写体を撮影するようにしたデジタルカメラが普及してきている。デジタルカメラでは、近年、小型で薄型のタイプが好まれるようになっている。カメラの大きさのうち、厚さ方向は主に光学系の大きさに依存する。このことから、薄型化を達成するには光学系の構成が重要になってくる。
【０００３】
また、撮影時に光学系をカメラボディ内からせり出して、携帯時には光学系をカメラボディ内に収納するいわゆる沈胴式鏡筒が一般的になっている。このため、ズームレンズの場合、沈胴時の大きさを考慮したレンズ群の配置、レンズ群内の構成が極めて重要になってくる。
【０００４】
一方、コンパクトタイプのデジタルカメラの変倍比は３倍程度が一般的であったが、それ以上の変倍比を持つものも求められるようになってきている。このような高変倍比を有するズームレンズに適した先行技術としては、物体側からみて、正の屈折力の第１レンズ群と、負の屈折力の第２レンズ群と、正の屈折力の第３レンズ群と、正の屈折力の第４レンズ群とを有するレンズタイプとなるズームレンズが知られている。
【０００５】
そして、第１レンズ群を正レンズ１枚の構成、第２レンズ群を負レンズと正レンズの２枚の構成とし、低コスト化、径を小型化した例として、例えば特許文献１、特許文献２に開示された構成が知られている。
【０００６】
【特許文献１】特開平２００３−９８４３３号公報
【特許文献２】特開平２００４−１９９０００号公報
【発明の開示】
【発明が解決しようとする課題】
【０００７】
しかしながら、従来技術の上述の文献に記載されているズームレンズには以下のような問題点がある。特許文献１における実施例１〜実施例４では、第１レンズ群を１枚のレンズ、第２レンズ群を２枚のレンズで構成しているが、ズーム比が３倍にとどまっている。また、全長が大きく、小型化は達成されていなかった。また、このまま変倍比を大きくしてもレンズ構成上、収差補正で不利な点も多く、必ずしも高性能を達成できるとは限らなかった。
【０００８】
また、特許文献２における実施例５も、同様に第１レンズ群を１枚のレンズ、第２レンズ群を２枚のレンズで構成した３倍ズームである。特許文献１と同様に全長が大きく、小型化は達成されていない。
【０００９】
本発明は、上記に鑑みてなされたものであって、その目的は、小型化と変倍比を確保でき、光学性能の確保のバランスを良好に達成できるズームレンズを提供することである。また、他の目的は、沈胴時の小型化に有利なズームレンズを提供することである。さらに、他の目的は、それらのズームレンズを備えた撮像装置を提供することである。
【課題を解決するための手段】
【００１０】
上述した課題を解決し、目的を達成するために、本発明の第１のズームレンズは、物体側から順に、正の屈折力の第１レンズ群と、負の屈折力の第２レンズ群と、正の屈折力の第３レンズ群と、正の屈折力の第４レンズ群を有している。
【００１１】
広角端から望遠端へのズーミング時に、前記第１レンズ群と前記第２レンズ群との間の間隔が広がり、前記第２レンズ群と前記第３レンズ群との間の間隔が狭まり、前記第３レンズ群と前記第４レンズ群との間の間隔が変化する。
【００１２】
そして、前記第１レンズ群は１枚の正レンズからなり、前記第２レンズ群は、物体側から順に、負レンズと、正レンズとの２枚のレンズから構成されている。
【００１３】
以上の構成は、後述する発明における共通の構成要件としている。
【００１４】
以下に本発明の第１のズームレンズにおいて上記構成をとる理由と作用を説明する。
【００１５】
このようなレンズ群のパワー配置とズーミング方式とすることで、負の屈折力の第２レンズ群と、正の屈折力の第３レンズ群とにズーミング時の変倍機能を持たせることができる。また、正の屈折力の第４レンズ群により、第３レンズ群から射出する軸外光線を像面に対し垂直に近づくように屈折させることができる。
【００１６】
このようなレンズタイプでは第１レンズ群と、第２レンズ群との径が大きくなる傾向にある。このため、これらレンズ群の構成枚数を少なくすることが沈胴時の厚みやコストを抑えることに効果的である。
【００１７】
このため、第１レンズ群を１枚の正レンズ、第２レンズ群を物体側からみて、負レンズと、正レンズとの２枚のレンズで構成した。このように構成することで、第１レンズ群、第２レンズ群での有効径を小さくでき、小径化、沈胴時の薄型化に有利となる。
【００１８】
そして、第１のズームレンズでは、さらに、第２レンズ群の前記負レンズは両凹負レンズであり、前記第３レンズ群は、物体側から順に、正レンズと、正レンズと、負レンズとの３枚のレンズからなり、望遠端における前記第２レンズ群と前記第３レンズ群との合成焦点距離が負であることを特徴とする。
【００１９】
上述したように、第２レンズ群の負レンズを両凹負レンズとした。このように構成することで、第２レンズ群の負パワーの維持に有利となる。また、物体側の負レンズの物体側面を凹面としたので、その物体側の第１レンズ群を第２レンズ群に近づけたときの第１レンズ群の位置が像面に近くでき、広角端での全長の短縮化に有利となる。
【００２０】
なお、さらには、第１レンズ群の像側面を像側に凸の面とすれば、広角端における第２レンズ群の入射面で発生する軸外収差の補正にも有利となる。また、沈胴時の小型化にも有利となる。
【００２１】
また、第２レンズ群をレンズ２枚の構成としているので、第２レンズ群と第３レンズ群で主な変倍作用を持たせる際に、第３レンズ群での変倍負担と収差補正を十分に行える構成とすると良い。このため、第３レンズ群を、物体側から順に正レンズと、正レンズと、負レンズとの３枚のレンズで構成すると良い。これにより、物体側の２枚の正レンズで軸上光束を収束させ、その後負レンズを配置することで、球面収差、コマ収差の収差発生量を小さくできる。また、第３レンズ群の主点も物体側寄りとなり、望遠側での第２レンズ群の主点と第３レンズ群との主点とを近づけ、高変倍比化にも有利となる。
【００２２】
そして、望遠端でのズームレンズ全長の増大化を抑えるために、望遠端における第２レンズ群と第３レンズ群との合成焦点距離が負となるようにしている。このように構成すると、第１レンズ群と第２レンズ群、第３レンズ群の合成系とでテレフォトタイプのような構成となり、高変倍比化しても全長の短縮化に有利となる。
【００２３】
本発明の第２のズームレンズは、物体側から順に、正の屈折力の第１レンズ群と、負の屈折力の第２レンズ群と、正の屈折力の第３レンズ群と、正の屈折力の第４レンズ群を有する。そして、広角端から望遠端へのズーミング時に、前記第１レンズ群と前記第２レンズ群との間の間隔が広がり、前記第２レンズ群と前記第３レンズ群との間の間隔が狭まり、前記第３レンズ群と前記第４レンズ群との間の間隔が変化し、前記第１レンズ群は１枚の正レンズからなり、前記第２レンズ群は、物体側から順に、負レンズと、正レンズとの２枚のレンズからなる。
【００２４】
そして、前記第３レンズ群は、物体側から順に、正レンズと、正レンズと、負レンズとの３枚のレンズから構成されている。広角端から望遠端へのズーミング時に、前記第１レンズ群、第２レンズ群、第３レンズは光軸に沿って移動し、前記第４レンズ群は物体側に移動したあと像側に移動する移動軌跡を含むことを特徴とする。
【００２５】
以下に本発明の第２のズームレンズにおいて上記構成をとる理由と作用を説明する。
【００２６】
第１のズームレンズと同様に、第３レンズ群は、物体側から順に、正レンズと、正レンズと、負レンズとからなる構成とした。これにより、第３レンズ群での球面収差、コマ収差の低減と、主点を物体側よりとしたことによる高変倍比化に有利となる。
【００２７】
また、第２のズームレンズは、広角端から望遠端へのズーミング時に、第１レンズ群から第４レンズ群までを移動させている。このような構成とすることで、第１レンズ群と第２レンズ群とを少ないレンズ枚数としたことによる残存収差が残る場合でも、ズーミング時の収差変動を抑えやすくなる。特に、第４レンズ群を物体側に移動したあと像側に移動する移動軌跡を含むようにすることで、残存する非点収差、ディストーションの補正に有利となる。
【００２８】
本発明の第３のズームレンズは、物体側から順に、正の屈折力の第１レンズ群と、負の屈折力の第２レンズ群と、正の屈折力の第３レンズ群と、正の屈折力の第４レンズ群を有する。そして、広角端から望遠端へのズーミング時に、前記第１レンズ群と前記第２レンズ群との間の間隔が広がり、前記第２レンズ群と前記第３レンズ群との間の間隔が狭まり、前記第３レンズ群と前記第４レンズ群との間の間隔が変化し、前記第１レンズ群は１枚の正レンズからなり、前記第２レンズ群は、物体側から順に、負レンズと、正レンズとの２枚のレンズから構成されている。
【００２９】
そして、前記第２レンズ群の前記負レンズは両凹負レンズであり、前記第３レンズ群は、物体側から順に、正レンズと、負レンズとの２枚のレンズからなることを特徴とする。
【００３０】
以下に本発明の第３のズームレンズにおいて上記構成をとる理由と作用を説明する。
【００３１】
第３のズームレンズ（後述する第４のズームレンズも同様）では、第１、第２のズームレンズよりも低コスト化の点を重視し、第３レンズ群の構成を物体側から正レンズ、負レンズの２枚のレンズで構成している。これにより、レンズ沈胴時の厚さ方向をレンズ１枚分小さくすることが可能になり、より小型化に有利となる。
【００３２】
そして、第３のズームレンズでは、第１のズームレンズと同様に、第２レンズ群の負レンズを両凹負レンズとした。第２レンズ群は変倍に大きく寄与する群であるので、小型化のためには強いパワーが必要になってくる。このように構成することで、第２レンズ群の負パワーの維持に有利となる。また、負レンズを両面とも発散作用にしてパワーを分割することにより高次収差の発生を抑えることが可能になる。これにより、高変倍比化しても非点収差を良好に補正できるようになる。
【００３３】
また、物体側の負レンズの物体側面を凹面としたので、その物体側の第１レンズ群を第２レンズ群に近づけたときの第１レンズ群の位置を像面に近くすることができる。これにより、広角端での全長の短縮化に有利となる。
【００３４】
なお、さらには、第１レンズ群の像側面を像側に凸の面とすれは、広角端における第２レンズ群の入射面で発生する軸外収差の補正にも有利となる。また、沈胴時の小型化にも有利となる。
【００３５】
本発明の第４のズームレンズは、物体側から順に、正の屈折力の第１レンズ群と、負の屈折力の第２レンズ群と、正の屈折力の第３レンズ群と、正の屈折力の第４レンズ群を有する。そして、広角端から望遠端へのズーミング時に、前記第１レンズ群と前記第２レンズ群との間の間隔が広がり、前記第２レンズ群と前記第３レンズ群との間の間隔が狭まり、前記第３レンズ群と前記第４レンズ群との間の間隔が変化し、前記第１レンズ群は１枚の正レンズからなり、前記第２レンズ群は、物体側から順に、負レンズと、正レンズとの２枚のレンズから構成されている。
【００３６】
そして、前記第３レンズ群は、物体側から順に、正レンズと、両凹負レンズとの２枚のレンズからなることを特徴とする。
【００３７】
以下に本発明の第４のズームレンズにおいて上記構成をとる理由と作用を説明する。
【００３８】
第４のズームレンズでも、第３のズームレンズと同様に、第３レンズ群を、正レンズと負レンズの２枚からなる構成とし、沈胴時の厚みを抑えやすい構成としている。ここで、第３レンズ群も第２レンズ群と同様に、変倍に大きく寄与しているうえ、さらに正の屈折力を持つため結像への影響も大きい。
【００３９】
しかしながら、第３レンズ群の正の屈折力を負担するレンズとしては正レンズ１枚のみとなるので、この正レンズに大きな屈折力を与えると、大きな収差が発生しやすくなる。
【００４０】
そこで、第４のズームレンズでは、第３レンズ群中の負レンズを両面とも発散作用を持つ両凹形状にして構成した。これにより、第３レンズ群内の収差を良好に補正することが可能になり、高変倍比化しても球面収差、コマ収差を良好に補正することができるようになる。
【００４１】
即ち、負レンズを像側に曲率の大きい凹面を向けたメニスカス形状としてしまうと、負レンズによる負パワーが像側面のみとなる。このとき、像側の面では軸上光束の光線高が低くなるので、球面収差の補正のためには曲率半径の小さい凹面となる。一方、レンズ面の周辺では軸外収差が出やすくなる。
【００４２】
そこで、負レンズの両面を凹面とし、軸上光束の入射高が低くなりすぎない位置にも負屈折力を分担させる。これにより、像側の凹面の曲率半径を大きくしやすくし、球面収差、コマ収差の補正を行いやすくすることが好ましい。また、第３レンズ群の主点位置をなるべく物体側にする機能も維持できるため、好ましい。
【００４３】
さらには、第３レンズ群の正レンズを両凸レンズとすることが好ましい。正のパワー（屈折力）を両面に分担することで、第３レンズ群に求められる正屈折力を確保しつつ、高次の収差を抑えやすくなる。
【００４４】
さらには、第３レンズ群の正レンズと負レンズとを接合させることが好ましい。第３レンズ群内の各レンズは屈折力が大きくなりやすい。このため、偏心による影響が起こりやすくなる。第３レンズ群の正レンズと負レンズとを接合させることで、偏心の影響を抑えやすくなる。
【００４５】
さらには、この接合面を負の屈折力の屈折面とすることが好ましい。これにより、負の屈折力を持つ射出側面の曲率を小さくしやすく、収差補正上有利となる。
【００４６】
なお、小型化と変倍比の確保、光学性能の確保のバランスをより良好とするために、上述の第１のズームレンズと第２のズームレンズとを双方同時に満足することがより好ましい。
【００４７】
また、上述の第３のズームレンズと第４のズームレンズとを双方同時に満足することがより好ましい。
【００４８】
また、望遠端での全長の短縮化のために、第２、第３、第４のズームレンズにおいて、望遠端における第２レンズ群と第３レンズ群との合成焦点距離が負となる構成としても良い。
【００４９】
また、変倍時の収差変動をより抑えやすくするために、第３、第４のズームレンズにおいて、第１レンズ群、第２レンズ群、第３レンズを光軸に沿って移動させ、第４レンズ群は物体側に移動したあと像側に移動する移動軌跡を含む構成としても良い。
【００５０】
さらに、上述の発明のいずれのズームレンズにおいても、以下の構成とすることがより好ましい。
【００５１】
本発明の第５のズームレンズは、第１〜第４のズームレンズにおいて、前記第３レンズ群の直前に配置された明るさ絞りを有することを特徴とする。
【００５２】
以下に本発明の第５のズームレンズにおいて上記構成をとる理由と作用を説明する。
【００５３】
上述の構成により、第１レンズ群、第２レンズ群の広角側の光線高を適度に抑えることができる。また、射出瞳を像面から離しやすくなる。
【００５４】
本発明の第６のズームレンズは、第１〜第５のズームレンズにおいて、前記ズームレンズを４群ズームレンズとしたことを特徴とする。
【００５５】
これにより、変倍比を確保しつつ沈胴時のコンパクト化等に有利な構成となるので好ましい。
【００５６】
本発明の第７のズームレンズは、第１〜第６のズームレンズにおいて、前記第４レンズ群が正レンズ１枚からなることを特徴とする。
【００５７】
第４レンズ群は、射出瞳を遠くする機能を主に担っており、第２レンズ群、第３レンズ群と比較して屈折力や変倍の負担を小さくしやすい。そのため、第４レンズ群を正レンズ１枚の構成とすることで構成を簡単にでき、また、沈胴時の薄型化にも有利となるので好ましい。
【００５８】
また、上述の何れのズームレンズについても以下の条件式のいずれかを満たすことが好ましい。
【００５９】
本発明の第８のズームレンズは、第１〜第７のズームレンズにおいて、第１レンズ群の焦点距離は以下の条件式を満足することを特徴とする。
【００６０】
（１）    ０．５＜ｆT／ｆg1＜２．５
ただし、ｆTはズームレンズの全系の望遠端での焦点距離、
ｆg1は第１レンズ群の焦点距離
である。
【００６１】
条件式（１）の上限を上回らないようにし、第１レンズ群のパワー（屈折力）を抑えることで、特に望遠端での球面収差、コマ収差の補正に有利となる。
【００６２】
条件式（１）の下限を下回らないようにすることで、第１レンズ群のパワーを確保し、望遠端の全長を抑えて小型化に有利となる。
【００６３】
なお、好ましくは次の条件式（１−１）を満たすのが良い。
（１−１）    ０．８＜ｆT／ｆg1＜２．０
【００６４】
なお、さらに好ましくは次の条件式を満たすのが良い。これらにより、さらに上述の効果を効率良く奏することができる。
（１−２）    １．０＜ｆT／ｆg1＜１．５
【００６５】
本発明の第９のズームレンズは、第１〜第８のズームレンズにおいて、第２レンズ群の焦点距離は以下の条件式を満足することを特徴とする。
【００６６】
（２）    −７＜ｆT／ｆg2＜−２
ただし、ｆTはズームレンズの全系の望遠端での焦点距離、
ｆg2は第２レンズ群の焦点距離、
である。
【００６７】
条件式（２）の上限を上回らないようにして、第２レンズ群のパワーを確保し、全長の増大を抑えることが好ましい。
【００６８】
条件式（２）の下限を下回らないようにして、第２レンズ群のパワーを適度に抑え、広角端でのディストーション（歪曲収差）、非点収差、望遠端での球面収差、コマ収差の発生を抑えることが好ましい。
【００６９】
なお、好ましくは次の条件式（２−１）を満たすのが良い。
（２−１）    −６＜ｆT／ｆg2＜−３
【００７０】
なお、さらに好ましくは次の条件式（２−２）を満たすのが良い。これらにより、さらに上述の効果を効率良く奏することができる。
（２−２）    −５．５＜ｆT／ｆg2＜−３．５
【００７１】
本発明の第１０のズームレンズは、第１〜第９のズームレンズにおいて、第３レンズ群の焦点距離は以下の条件式を満足することを特徴とする。
【００７２】
（３）    １．８＜ｆT／ｆg3＜６
ただし、ｆTはズームレンズの全系の望遠端での焦点距離、
ｆg3は第３レンズ群の焦点距離
である。
【００７３】
条件式（３）の上限を上回らないようにして、第３レンズ群のパワーを抑えることで、特に望遠端での球面収差、コマ収差の補正に有利となる。
【００７４】
条件式（３）の下限を下回らないようにして、第３レンズ群のパワーを適度に確保することで、全長の短縮化に有利となる。
【００７５】
なお、好ましくは次の条件式（３−１）を満たすのが良い。
（３−１）    ２．０＜ｆT／ｆg3＜４．５
【００７６】
なお、さらに好ましくは次の条件式（３−２）を満たすのが良い。これらにより、さらに上述の効果を効率良く奏することができる。
（３−２）    ２．５＜ｆT／ｆg3＜３．５
【００７７】
本発明の第１１のズームレンズは、第１〜第１０のズームレンズにおいて、収差バランス上等、第１レンズ群と第３レンズ群は、以下の条件式を満足することを特徴とする。
【００７８】
（４）    １．５＜ｆg1／ｆg3＜３．０
ただし、ｆg1は第１レンズ群の焦点距離、
ｆg3は第３レンズ群の焦点距離、
である。
【００７９】
条件式（４）の上限を上回らないようにして、第１レンズ群に適度なパワーを確保し、広角端での全長の短縮化を行うことが好ましい。また、第１レンズ群の収差補正効果の確保や、第３レンズ群の収差発生量、特に、球面収差、コマ収差の発生を抑えやすくなり好ましい。
【００８０】
条件式（４）の下限を下回らないようにして、バックフォーカスの確保を行うことが好ましい。また、第１レンズ群の球面収差、コマ収差等の収差発生量を抑え、第３レンズ群の変倍作用の確保を行うことが好ましい。
【００８１】
なお、好ましくは次の条件式（４−１）を満たすのが良い。これにより、さらに上述の効果を効率良く奏することができる。
（４−１）    ２．０＜ｆg1／ｆg3＜２．８
【００８２】
本発明の第１２のズームレンズは、第１〜第１１のズームレンズにおいて、収差バランス上等、第１レンズ群と第４レンズ群は以下の条件式を満足する。
【００８３】
（５）    １．０＜ｆg1／ｆg4＜３．０
ただし、ｆg1は第１レンズ群の焦点距離、
ｆg4は第４レンズ群の焦点距離
である。
【００８４】
条件式（５）の上限を上回らないようにすると、相対的に第４レンズ群のパワーを確保し、第１レンズ群で発生するディストーションや倍率色収差の補正不足を抑えやすくなる。
【００８５】
条件式（５）の下限を下回らないようにすると、相対的に第４レンズ群のパワーが強くなりすぎることを抑え、同様にディストーションや倍率色収差の補正過剰を抑えやすくなる。
【００８６】
なお、好ましくは次の条件式（５−１）を満たすのが良い。これにより、さらに上述の効果を効率良く奏することができる。
（５−１）    １．２＜ｆg1／ｆg4＜２．５
【００８７】
本発明の第１３のズームレンズは、第１〜第１２のズームレンズにおいて、第２レンズ群と第４レンズ群は以下の条件式を満足することを特徴とする。
【００８８】
（６）    −０．７＜ｆg2／ｆg4＜−０．１
ただし、ｆg2は第２レンズ群の焦点距離、
ｆg4は第４レンズ群の焦点距離、
である。
【００８９】
条件式（６）の上限を上回らないようにすると、第４レンズ群のパワーを確保し、収差補正効果の確保に有利となる。また、第２レンズ群のパワーを抑え、収差発生量を抑え、特に、非点収差、ディストーション、倍率色収差のバランスを取りやすくなる。
【００９０】
条件式（６）の下限を下回らないようにすると、第４レンズ群でのパワーが強くなりすぎることを抑え、第４レンズ群での収差発生を抑えやすくなる。また、第２レンズ群のパワーを確保し、小型化、変倍比の確保に有利となる。
【００９１】
なお、好ましくは次の条件式（６−１）を満たすのが良い。これにより、さらに上述の効果を効率良く奏することができる。
（６−１）    −０．６＜ｆg2／ｆg4＜−０．２５
【００９２】
本発明の第１４のズームレンズは、第１〜第１３のズームレンズにおいて、広角端での前記第２レンズ群と、第３レンズ群との合成焦点距離が正であり、望遠端での前記第２レンズ群と、第３レンズ群との合成焦点距離が負であり、以下の条件式を満足することを特徴とする。
【００９３】
（７）    −２．５＜ｆg23W／ｆg2３T＜−０．１
ただし、ｆg23Wは第２、第３レンズ群の広角端での合成焦点距離、
ｆg23Tは第２、第３レンズ群の望遠端での合成焦点距離、
である。
【００９４】
条件式（７）の上限を上回らないようにして、広角端での第２レンズ群と、第３レンズ群との合成系の正パワーを適度に抑えることで、非点収差やディストーションを抑えやすくなる。また、望遠端での第２レンズ群と、第３レンズ群との合成系の負のパワーを確保することで、望遠端での全長の小型化に有利となる。
【００９５】
条件式（７）の下限を下回らないようにすることで、広角端での第２レンズ群と、第３レンズ群との合成系の正パワーを適度に確保し、広角端での全長、バックフォーカスの増大を抑えやすくなる。また、望遠端での第２レンズ群と、第３レンズ群との合成系の負パワーを抑えることで、球面収差やコマ収差を低減しやすくなる。
【００９６】
なお、好ましくは次の条件式（７−１）を満たすのが良い。
（７−１）    −２．０＜ｆg23W／ｆg23T＜−０．２８
【００９７】
なお、さらに好ましくは次の条件式（７−２）を満たすのが良い。これらにより、さらに上述の効果を効率良く奏することができる。
（７−２）    −１．５＜ｆg23W／ｆg23T＜−０．３５
【００９８】
本発明の第１５のズームレンズは、第１〜第１４のズームレンズにおいて、第１レンズ群の焦点距離と第２レンズ群と３レンズ群との望遠端での合成焦点距離は、以下の条件式を満足することを特徴とする。
【００９９】
（８）    −２．５＜ｆg1／ｆg23T＜−０．５
ただし、ｆg1は第１レンズ群の焦点距離、
ｆg23Tは第２、第３レンズ群の望遠端での合成焦点距離、
である。
【０１００】
条件式（８）の上限を上回らないようにすることで、テレフォト効果による望遠端での全長短縮に有利となる。
【０１０１】
条件式（８）の下限を下回らないようにすることで、第２レンズ群と、第３レンズ群との合成系の負パワーが強くなりすぎることを抑え、球面収差、コマ収差、非点収差の補正に有利となる。
【０１０２】
なお、好ましくは次の条件式（８−１）を満たすのが良い。
（８−１）    −２．０＜ｆg1／ｆg23T＜−０．８
【０１０３】
なお、さらに好ましくは次の条件式（８−２）を満たすのが良い。これらにより、さらに上述の効果を効率良く奏することができる。
（８−２）    −１．８＜ｆg1／ｆg23T＜−０．９
【０１０４】
本発明の第１６のズームレンズは、第１〜第１５のズームレンズにおいて、以下の条件式を満足することを特徴とする。
【０１０５】
（９）    １．８＜β2T／β2W＜４．０
ただし、β2Tは第２レンズ群の望遠端での横倍率、
β2Wは第２レンズ群の広角端での横倍率、
である。
【０１０６】
条件式（９）の上限を上回らないようにすることで、第２レンズ群の変倍負担を抑え、ズーミングによる収差変動を抑えやすくなる。
【０１０７】
条件式（９）の下限を下回らないようにすることで、第２レンズ群の変倍機能を確保し、全長の小型化に有利となる。
【０１０８】
なお、好ましくは次の条件式（９−１）を満たすのが良い。これにより、さらに上述の効果を効率良く奏することができる。
（９−１）    ２．０＜β2T／β2W＜３．０
【０１０９】
本発明の第１７のズームレンズは、第１〜第１６のズームレンズにおいて、以下の条件式を満足することを特徴とする。
【０１１０】
（１０）    １．２＜β3T／β3W＜３．０
ただし、β3Tは第３レンズ群の望遠端での横倍率、
β3Wは第３レンズ群の広角端での横倍率、
である。
【０１１１】
条件式（１０）の上限を上回らないようにすることで、第３レンズ群の変倍負担を抑え、ズーミングによる収差変動を抑えやすくなる。
【０１１２】
条件式（１０）の下限を下回らないようにすることで、変倍効果を確保し全長の短縮化に有利となる。
【０１１３】
なお、好ましくは次の条件式（１０−１）を満たすのが良い。これにより、さらに上述の効果を効率良く奏することができる。
（１０−１）    １．３５＜β3T／β3W＜２．５
【０１１４】
本発明の第１８のズームレンズは、第１〜第１７のズームレンズにおいて、以下の条件式を満足することを特徴とする。
【０１１５】
（１１）    ０．８５＜β4T／β4W＜２．０
ただし、β4Tは第４レンズ群の望遠端での横倍率、
β4Wは第４レンズ群の広角端での横倍率、
である。
【０１１６】
条件式（１１）の上限を上回らないようにすることで、第４レンズ群の変倍負担を抑え、ズーミングによる収差変動の低減に有利となる。
【０１１７】
条件式（１１）の下限を下回らないようにすることで、第４レンズ群の減倍の変倍作用による他のレンズ群の変倍作用が大きくなることを抑え、レンズ群の移動量や全長を抑えることに有利となる。
【０１１８】
なお、好ましくは次の条件式を満たすのが良い。これにより、さらに上述の効果を効率良く奏することができる。
（１１−１）    ０．９＜β4T／β4W＜１．５
【０１１９】
本発明の第１９のズームレンズは、第１〜第１８のズームレンズにおいて、前記第１レンズ群は広角端よりも望遠端にて物体側に位置し、以下の条件式を満足することを特徴とする。
【０１２０】
（１２）    ０．５＜Ｄg1／Ｄ＜２．０
ただし、Ｄg1は第１レンズ群の広角端から望遠端の移動距離、
Ｄは各レンズ群ごとの入射面から射出面までの軸上距離を総和した値、
である。
【０１２１】
条件式（１２）の上限を上回らないようにすることで、第１レンズ群の移動距離を抑え、望遠端の全長を抑えることに有利となる。
【０１２２】
条件式（１２）の下限を下回らないようにすることで、第１レンズ群の移動によるズーミングによる収差変動を抑える機能を確保できる。また、第２レンズ群の屈折力を抑えつつ変倍負担をもたせやすく、高変倍比化に有利となる。また、相対的に望遠端よりも広角端にて全長が短くなり、ズームレンズの小径化に有利となる。
【０１２３】
なお、好ましくは次の条件式を満たすのが良い。これにより、さらに上述の効果を効率良く奏することができる。
（１２−１）    ０．８＜Ｄg1／Ｄ＜１．５
【０１２４】
本発明の第２０のズームレンズは、第１〜第１９のズームレンズにおいて、各レンズ群の移動量のバランスにより全長をコンパクトにしやすくするために、前記第３レンズ群は広角端よりも望遠端にて物体側に位置し、以下の条件式を満足することを特徴とする。
【０１２５】
（１３）    ０．６５＜Ｄg3／Ｄ＜１．５
ただし、Ｄg3は第３レンズ群の広角端から望遠端の移動距離、
Ｄは各レンズ群ごとの入射面から射出面までの軸上距離を総和した値、
である。
【０１２６】
条件式（１３）の上限を上回らないようにすることで、第３レンズ群の移動距離を適度に抑え、全長の短縮化に有利となる。また、ズーミングによる収差変動を抑えやすくなる。
【０１２７】
条件式（１３）の下限を下回らないようにすることで、第３レンズ群の移動距離を適度に確保し、物体側に配置される第２レンズ群の変倍効果が大きくなりすぎることを抑え、全長短縮に有利となる。また、第２レンズ群、第３レンズ群での収差補正のバランスを取りやすくなる。
【０１２８】
なお、好ましくは次の条件式（１３−１）を満たすのが良い。これにより、さらに上述の効果を効率良く奏することができる。
（１３−１）    ０．７５＜Ｄg3／Ｄ＜１．２
【０１２９】
本発明の第２１のズームレンズは、第１〜第２０のズームレンズにおいて、前記第２レンズ群中の前記負レンズを両凹レンズとし、以下の条件式を満足することを特徴とする。
【０１３０】
（１４）    −７＜ｒ2f／ｒ2r＜−０．５
ただし、ｒ2fは第２レンズ群中の負レンズの物体側面の近軸曲率半径、
ｒ2rは第２レンズ群中の負レンズの像側面の近軸曲率半径、
である。
【０１３１】
また、第２レンズ群中の前記負レンズを両凹レンズとし、第２レンズ群の負パワーの確保と軸上収差の低減、小型化に有利な構成とすることが好ましい。
【０１３２】
このとき、第２レンズ群中の負レンズの物体側面、及び像側面の近軸曲率半径は条件式（１４）を満たすのが良い。
【０１３３】
条件式（１４）の上限を上回らないようにすることで、物体側面の曲率が大きくなりすぎることを抑え、ディストーションや非点収差が過剰に発生することを抑えられる。また、像側面の曲率を確保することで、諸収差の補正効果を維持することが容易となる。
【０１３４】
条件式（１４）の下限を下回らないようにすることで、物体側面の曲率が小さくなりすぎることを抑え、軸上収差の補正効果をより保つことができる。また、像側の曲率を抑えて高次収差の発生を抑えやすくなる。
【０１３５】
なお、好ましくは次の条件式（１４−１）を満たすのが良い。
（１４−１）    −５＜ｒ2f／ｒ2r＜−１
【０１３６】
なお、さらに好ましくは次の条件式（１４−２）を満たすのが良い。これらにより、さらに上述の効果を効率良く奏することができる。
（１４−２）    −４＜ｒ2f／ｒ2r＜−１．５
【０１３７】
本発明の第２２のズームレンズは、第１〜第２１のズームレンズにおいて、前記第３レンズ群中の前記負レンズは両凹レンズであり、以下の条件式を満足することを特徴とする。
【０１３８】
（１５）    −４＜ｒ3f／ｒ3r＜−０．１
ただし、ｒ3fは第３レンズ群中の負レンズの物体側曲率半径、
ｒ3rは第３レンズ群中の負レンズの像側曲率半径、
である。
【０１３９】
また、第３レンズ群中の前記負レンズを両凹レンズとし、第３レンズ群の主点位置を物体側寄りにすることによる高変倍比化の効果、及び負パワーを負レンズの両面としたことによる収差補正の効果を得ることが好ましい。
【０１４０】
このとき、第３レンズ群中の負レンズの両側の面の近軸曲率半径は条件式（１５）を満たすのが良い。
【０１４１】
条件式（１５）の上限を上回らないようにすることで、物体側面の曲率を抑え、球面収差、コマ収差の補正過剰を抑えやすくなる。また、像側面の適度な曲率の確保により、非点収差、コマ収差の補正効果を得やすくなる。
【０１４２】
条件式（１５）の下限を下回らないようにすることで、物体側面の適度な曲率を確保し球面収差、コマ収差の補正不足を抑えやすくなる。また、像側の曲率が大きくなりすぎることを抑え、非点収差、コマ収差、ディストーションをバランス良く補正することに有利となる。
【０１４３】
なお、好ましくは次の条件式（１５−１）を満たすのが良い。
（１５−１）    −２．８＜ｒ3f／ｒ3r＜−０．２
【０１４４】
なお、さらに好ましくは次の条件式（１５−２）を満たすのが良い。これらにより、さらに上述の効果を効率良く奏することができる。
（１５−２）    −２．５＜ｒ3f／ｒ3r＜−０．３
【０１４５】
本発明の第２３のズームレンズは、第１〜第２のズームレンズにおいて、以下の条件式を満足することを特徴とする。
【０１４６】
（１６）    ４．０＜ｆT／ｆW＜１０．０
ただし、ｆTはズームレンズの全系の望遠端での焦点距離、
ｆWはズームレンズの全系の広角端での焦点距離、
である。
【０１４７】
本発明の第１のズームレンズ、第２のズームレンズは、高変倍比化に有利となるのでズームレンズのズーム比を４．０より大きくすることがより好ましい。また、条件式（１６）の上限１０．０を上回らないようにして、収差変動や全長の大型化を抑えることがより好ましい。
【０１４８】
本発明の第２４のズームレンズは、第３〜第４のズームレンズにおいて、以下の条件式を満足することを特徴とする。
（１６’）    ２．７＜ｆT／ｆW＜７．０
ただし、ｆTはズームレンズの全系の望遠端での焦点距離、
ｆWはズームレンズの全系の広角端での焦点距離、
である。
【０１４９】
本発明の第３のズームレンズ、第４のズームレンズは、沈胴時のコンパクト化に有利なものであり、一般的に求められるズーム比２．７以上とし、条件式（１６’）の上限７．０を上回らないようにして、収差変動や全長の大型化を抑え、沈胴時の鏡枠の小型化等にも有利な構成とすることが好ましい。
【０１５０】
本発明の第２５のズームレンズは、第４レンズ群の移動方式について、第４レンズ群は、広角端及び望遠端での位置に対して、中間焦点距離状態にて物体側に位置し、以下の条件式を満足することを特徴とする。
（１７）    ０．１＜（Ｄg4s−Ｄg4max）／Ｉｈ＜１.５
ただし、Ｄg4sは、中間焦点距離状態での第４レンズ群の像面からの距離、
Ｄg4maxは、広角端もしくは望遠端における第４レンズ群の像面からの距離のうち大きい方の値、
Ｉｈは最大像高、
中間焦点距離状態は、ズームレンズの全系の焦点距離が、広角端でのズームレンズの全系の焦点距離と望遠端でのズームレンズの全系の焦点距離との相乗平均となる状態である。
【０１５１】
これにより、非点収差、ディストーションの補正と、小型化とのバランスを良好にしやすくなる。条件式（１７）の上限を上回らないようにして、第４レンズ群の移動量を適度に抑え、ズームレンズの大型化を抑えることが好ましい。
【０１５２】
条件式（１７）の下限を下回らないようにして、第４レンズ群の移動量を確保してズーミング時の収差の変動を抑えやすくすることが好ましい。
【０１５３】
なお好ましくは、次の条件式を満たすのが良い。
（１７−１）    ０．１５＜（Ｄg4s−Ｄg4max）／Ｉｈ＜１.２
なお好ましくは次の条件式を満たすのが良い。
（１７−２）    ０．２＜（Ｄg4s−Ｄg4max）／Ｉｈ＜０.９
【０１５４】
本発明の撮像装置は、上述の各発明のズームレンズを用いて、以下の構成とすることが好ましい。
【０１５５】
ズームレンズと、その像側に配置され、前記ズームレンズにより形成された像を電気信号に変換する電子撮像素子を備え、前記ズームレンズが上述の第１〜第２４の少なくとも何れか一つのズームレンズであることを特徴とする。
【０１５６】
電子撮像素子は、撮像面に対する光線の入射角が大きいと光量不足や偽色（間違った色再現）といった現象が生じやすい。一方、本発明のズームレンズの構成は、射出瞳を像面から離す構成に好適である。このため、ズームレンズにより形成された像を電気信号に変換する電子撮像素子を備えた撮像装置に用いることが好ましい。
【０１５７】
また、上述の各構成は、任意に組み合わせても構わないことは言うまでもない。また、各条件式について、より限定した条件式の数値範囲の上限値あるいは下限値のみを限定しても構わない。
【発明の効果】
【０１５８】
本発明によれば、小型化と変倍比の確保ができ、良好に光学性能の確保のバランスを達成できるズームレンズを提供できる。また、沈胴時の小型化に有利なズームレンズを提供できる。さらに、これらのズームレンズを備えた撮像装置を提供できる。
【発明を実施するための最良の形態】
【０１５９】
以下に、本発明に係るズームレンズ、撮像装置の実施例を図面に基づいて詳細に説明する。なお、この実施例によりこの発明が限定されるものではない。
【０１６０】
以下、本発明のズームレンズの実施例１〜５について説明する。実施例１〜５の無限遠物点合焦時の広角端（ａ）、第１の途中状態（ｂ）、第２の途中状態（ｃ）、第３の途中状態（ｄ）、望遠端（ｅ）のレンズ断面図をそれぞれ図１〜図５に示す。図１〜図５中、第１レンズ群はＧ１、第２レンズ群はＧ２、開口絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【０１６１】
（実施例１）
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置して構成している。
【０１６２】
広角端から望遠端へのズーミング時、第１レンズ群Ｇ１は一旦像側に移動した後、中間焦点距離状態より広角側で移動方向が反転して物体側に移動し、第２レンズ群Ｇ２は一旦像側に移動した後、中間焦点距離付近で移動方向が反転し物体側に移動し、第３レンズ群Ｇ３は物体側に移動し、第４レンズ群Ｇ４は一旦物体側に移動した後、中間焦点距離より望遠側で移動方向が反転し像側に移動する。
【０１６３】
なお、中間焦点距離状態とは、広角端、望遠端の各々の焦点距離の相乗平均を焦点距離とする状態とする。
【０１６４】
物体側から順に、第１レンズ群Ｇ１は、第１両凸正レンズで構成される。第２レンズ群Ｇ２は、第２両凹負レンズと、物体側に凸を向けた第３正メニスカスレンズとで構成される。第３レンズ群Ｇ３は、第４両凸正レンズと、第５両凸正レンズと、第６両凹負レンズとで構成される。また、第５両凸正レンズと、第６両凹負レンズとが接合されている。第４レンズ群Ｇ４は、両面が非球面の第７両凸正レンズで構成される。
【０１６５】
非球面は、第１両凸正レンズの物体側の面と、第２両凹負レンズの両面と、第４両凸正レンズの両面と、第７両凸正レンズの両面との７面に用いている。
【０１６６】
また、本実施例のスペックは、像高は3.8mmである。焦点距離は、広角端〜第１の途中状態〜第２の途中状態〜第３の途中状態〜望遠端の順に、6.46〜9.93〜14.00〜20.85〜30.96ｍｍである。Ｆnoは、広角端〜第１の途中状態〜第２の途中状態〜第３の途中状態〜望遠端の順に、2.8〜3.27〜3.43〜3.56〜4.11である。
【０１６７】
（実施例２）
実施例２は、物体側から順に、正の屈折力の第１レンズ群Ｇ１と、負の屈折力の第２レンズ群Ｇ２と、明るさ絞りＳと、正の屈折力の第３レンズ群、正の屈折力の第４レンズ群とを配置して構成している。
【０１６８】
広角端から望遠端へのズーミング時、第１レンズ群Ｇ１は物体側に移動し、第２レンズ群Ｇ２は一旦像側に移動した後、中間焦点距離付近で移動方向が反転し物体側に移動し、第３レンズ群Ｇ３は物体側に移動し、第４レンズ群Ｇ４は一旦物体側に移動した後、中間焦点距離付近で移動方向が反転し像側に移動する。
【０１６９】
物体側から順に、第１レンズ群Ｇ１は、第１両凸正レンズで構成される。第２レンズ群Ｇ２は、第２両凹負レンズと、物体側に凸を向けた第３正メニスカスレンズとで構成される。第３レンズ群Ｇ３は、第４両凸正レンズと、第５両凸正レンズと、第６両凹負レンズとで構成される。また、第５両凸正レンズと、第６両凹負レンズとが接合されている。第４レンズ群Ｇ４は、第７両凸正レンズで構成されている。
【０１７０】
非球面は、第１両凸正レンズの両面と、第２両凹負レンズの両面と、第４両凸正レンズの両面と、第７両凸正レンズの両面との８面に用いている。
【０１７１】
また、本実施例のスペックは、像高は3.8mmである。焦点距離は、広角端〜第１の途中状態〜第２の途中状態〜第３の途中状態〜望遠端の順に、6.45〜9.55〜14.13〜20.91〜30.83ｍｍである。Ｆnoは、広角端〜第１の途中状態〜第２の途中状態〜第３の途中状態〜望遠端の順に、2.99〜3.31〜3.65〜4.05〜4.9である。
【０１７２】
（実施例３）
実施例３は、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４を配置して構成されている。
【０１７３】
広角端から望遠端にかけてのズーミング時、第１レンズ群Ｇ１は物体側に移動し、第２レンズ群Ｇ２は一旦像側に移動した後、中間焦点距離付近で移動方向が反転し物体側に移動し、第３レンズ群Ｇ３は物体側に移動し、第４レンズ群Ｇ４は一旦物体側に移動した後、中間焦点距離付近で移動方向が反転し像側に移動する。
【０１７４】
物体側から順に、第１レンズ群Ｇ１は、第１両凸正レンズで構成される。第２レンズ群Ｇ２は、第２両凹負レンズと、物体側に凸を向けた第３正メニスカスレンズとで構成される。第３レンズ群Ｇ３は、第４両凸正レンズと、第５両凹負レンズとで構成される。また、第４両凸正レンズと、第５両凹負レンズとが接合されている。第４レンズ群Ｇ４は、両面が非球面で物体側に凸を向けた第６正メニスカスレンズで構成されている。
【０１７５】
非球面は、第１両凸正レンズの両面と、第２両凹負レンズの両面と、第５両凹負レンズの像側の面と、第６正メニスカスレンズの両面との７面に用いている。
【０１７６】
また、本実施例のスペックは、像高は3.8mmである。焦点距離は、広角端〜第１の途中状態〜第２の途中状態〜第３の途中状態〜望遠端の順に、6.72〜10.1〜15.07〜22.12〜33.05ｍｍである。また、Ｆnoは、広角端〜第１の途中状態〜第２の途中状態〜第３の途中状態〜望遠端の順に、3.15〜3.53〜4.11〜4.33〜5である。
【０１７７】
（実施例４）
実施例４は、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置して構成されている。
【０１７８】
広角端から望遠端へのズーミング時に、第１レンズ群Ｇ１は一旦像側に移動した後、中間焦点距離より広角側で移動方向が反転して物体側に移動し、第２レンズ群Ｇ２は一旦像側に移動した後、中間焦点距離状態より広角側で移動方向が反転し物体側に移動し、第３レンズ群Ｇ３は物体側に移動し、第４レンズ群Ｇ４は一旦物体側に移動した後、中間焦点距離状態より広角側で移動方向が反転し像側に移動する。
【０１７９】
物体側から順に、第１レンズ群Ｇ１は、第１両凸正レンズで構成される。第２レンズ群Ｇ２は、第２両凹負レンズと、物体側に凸を向けた第３正メニスカスレンズとで構成される。第３レンズ群Ｇ３は、第４両凸正レンズと、第５両凹負レンズとで構成されている。また、第４両凸正レンズと、第５両凹負レンズとが接合されている。第４レンズ群Ｇ４は、第６両凸正レンズで構成されている。
【０１８０】
非球面は、第１両凸正レンズの物体側の面と、第２両凹負レンズの両面と、第３正メニスカスレンズの両面と、第５両凹負レンズの像側の面と、第６両凸正レンズの両面との８面を用いている。
【０１８１】
また、本実施例のスペックは、像高は3.8mmである。焦点距離は、広角端〜第１の途中状態〜第２の途中状態〜第３の途中状態〜望遠端の順に、6.85〜10.09〜15.26〜22.13〜32.77ｍｍである。Ｆnoは、広角端〜第１の途中状態〜第２の途中状態〜第３の途中状態〜望遠端の順に、2.81〜3.3〜3.41〜3.6〜4.14である。
【０１８２】
（実施例５）
実施例５は、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置して構成されている。
【０１８３】
広角端から望遠端へのズーミング時に、第１レンズ群Ｇ１は物体側に移動し、第２レンズ群Ｇ２は一旦像側に移動した後、中間焦点距離状態より広角側で移動方向が反転し物体側に移動し、第３レンズ群Ｇ３は物体側に移動し、第４レンズ群Ｇ４は一旦物体側に移動した後、中間焦点距離付近で移動方向が反転し像側に移動する。
【０１８４】
物体側から順に、第１レンズ群Ｇ１は、第１両凸正レンズで構成される。第２レンズ群Ｇ２は、第２両凹負レンズ、物体側に凸を向けた第３正メニスカスレンズとで構成される。第３レンズ群Ｇ３は、第４両凸正レンズ、第５両凹負レンズで構成される。第４レンズ群Ｇ４は、物体側に凸を向けた第６正メニスカスレンズで構成されている。
【０１８５】
非球面は、第１両凸正レンズの両面と、第２両凹負レンズの両面と、第４両凸正レンズの両面と、第５両凹負レンズの像側の面と、第６正メニスカスレンズの両面との９面に用いている。
【０１８６】
また、本実施例のスペックは、像高は3.8mmである。焦点距離は、広角端〜第１の途中状態〜第２の途中状態〜第３の途中状態〜望遠端の順に、6.72〜10.1〜14.97〜22.16〜33.11ｍｍである。Ｆnoは、広角端〜第１の途中状態〜第２の途中状態〜第３の途中状態〜望遠端の順に、3.14〜3.57〜4.11〜4.42〜5.08である。
【０１８７】
以下に、上記各実施例の数値データを示す。記号は上記の外、ｆは全系焦点距離、ＦNOはＦナンバー、ωは半画角、ＷＥは広角端、ＳＴ１は第１の途中状態、ＳＴ２は第２の途中状態、ＳＴ３は第３の途中状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１８８】
ｘ＝（ｙ2 ／Ｒ）／［１＋｛１−（Ｋ＋１）（ｙ／Ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、Ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１８９】
実施例１
ｒ1 =   15.276（非球面）   ｄ1 =  2.900      ｎd1 =  1.49700    νd1 =  81.54
ｒ2 =  -44.570             ｄ2 = （可変）  
ｒ3 =  -17.096（非球面）   ｄ3 =  0.706      ｎd2 =  1.88300    νd2 =  40.76
ｒ4 =    4.727（非球面）   ｄ4 =  1.000
ｒ5 =    8.493             ｄ5 =  1.700      ｎd3 =  1.92286    νd3 =  20.88
ｒ6 =   30.000             ｄ6 = （可変）  
ｒ7 =    ∞（絞り）        ｄ7 =  0.100
ｒ8 =    5.006（非球面）   ｄ8 =  1.567      ｎd4 =  1.80610    νd4 =  40.92
ｒ9 =  -41.194（非球面）   ｄ9 =  0.100
ｒ10=   12.074             ｄ10=  1.473      ｎd5 =  1.72916    νd5 =  54.68
ｒ11=   -8.311             ｄ11=  0.627      ｎd6 =  1.84666    νd6 =  23.78
ｒ12=    3.840             ｄ12= （可変） 
ｒ13=   15.436（非球面）   ｄ13=  1.800      ｎd7 =  1.84666    νd7 =  23.78
ｒ14=  -33.483（非球面）   ｄ14= （可変） 
ｒ15=    ∞                ｄ15=  0.805      ｎd8 =  1.54771    νd8 =  62.84
ｒ16=    ∞                ｄ16=  0.568
ｒ17=    ∞                ｄ17=  0.474      ｎd9 =  1.51633    νd9 =  64.14
ｒ18=    ∞                ｄ18=  0.600
ｒ19=    ∞受光面（像面） 
非球面係数
第１面
Ｒ =  15.276  
Ｋ =   0.000
Ａ4 =  -2.50643e-05 
Ａ6 =  -1.04945e-07 
Ａ8 =  -3.19294e-09 
Ａ10=   2.91729e-11  
第３面
Ｒ = -17.096  
Ｋ =   0.000
Ａ4 =  -8.67993e-04 
Ａ6 =   7.43878e-05 
Ａ8 =  -2.29563e-06  
Ａ10=   2.78272e-08  
第４面
Ｒ =   4.727  
Ｋ =   0.000
Ａ4 =  -2.06495e-03 
Ａ6 =   2.48483e-05 
Ａ8 =   1.36292e-06 
Ａ10=  -1.68529e-07  
第８面
Ｒ =   5.006
Ｋ =   0.519
Ａ4 =  -8.21286e-04 
Ａ6 =   1.13605e-04 
Ａ8 =  -2.47318e-05 
Ａ10=   3.75291e-06  
第９面
Ｒ = -41.194  
Ｋ =   0.000
Ａ4 =   8.69153e-04  
Ａ6 =   2.22565e-04 
Ａ8 =  -4.01388e-05 
Ａ10=   6.95715e-06  
第１３面
Ｒ =  15.436  
Ｋ =   0.000
Ａ4 =  -2.79359e-04 
Ａ6 =  -8.23673e-06  
第１４面
Ｒ = -33.483  
Ｋ =   0.000
Ａ4 =  -2.21293e-04 
Ａ6 =  -9.73740e-06 
Ａ8 =   2.08202e-07 
Ａ10=  -3.09294e-09  
ズームデータ（∞）
ＷＥ    ＳＴ１    ＳＴ２    ＳＴ３    ＴＥ
ｆ（mm）      6.46     9.93     14        20.85     30.96
ＦNO           2.8      3.27     3.43      3.56      4.11
２ω（゜）    68.71    43.27    30.1      20.2      13.01
ｄ2            1        1.89     4.733     7.841     10.189
ｄ6            9.739    5.248    3.395     1.387     1
ｄ12           1.8      2.126    2.703     4.993     12.756
ｄ14           5.035    7.038    7.68      7.681     4.628
【０１９０】
実施例２
ｒ1 =   20.645（非球面）   ｄ1 =  3.100    ｎd1 =  1.49700   νd1 =  81.54
ｒ2 =  -40.563（非球面）   ｄ2 = （可変） 
ｒ3 =  -13.518（非球面）   ｄ3 =  0.800    ｎd2 =  1.80610   νd2 =  40.92
ｒ4 =    5.165（非球面）   ｄ4 =  1.000
ｒ5 =    8.595             ｄ5 =  1.700    ｎd3 =  1.92286   νd3 =  20.88
ｒ6 =   26.980             ｄ6 = （可変）  
ｒ7 =    ∞（絞り）        ｄ7 =  0.200
ｒ8 =    5.293（非球面）   ｄ8 =  1.800    ｎd4 =  1.80610   νd4 =  40.92
ｒ9 =  -41.027（非球面）   ｄ9 =  0.100
ｒ10=   11.090             ｄ10=  1.600    ｎd5 =  1.72916   νd5 =  54.68
ｒ11=   -8.868             ｄ11=  0.700    ｎd6 =  1.84666   νd6 =  23.78
ｒ12=    3.921             ｄ12= （可変） 
ｒ13=   11.765（非球面）   ｄ13=  1.800    ｎd7 =  1.84666   νd7 =  23.78
ｒ14= -643.914（非球面）   ｄ14= （可変） 
ｒ15=    ∞                ｄ15=  0.805    ｎd8 =  1.54771   νd8 =  62.84
ｒ16=    ∞                ｄ16=  0.568
ｒ17=    ∞                ｄ17=  0.474    ｎd9 =  1.51633   νd9 =  64.14
ｒ18=    ∞                ｄ18=  0.600
ｒ19=    ∞受光面（像面） 
非球面係数
第１面
Ｒ =  20.645 
Ｋ =   0.000
Ａ4 =  -8.34769e-06 
Ａ6 =  -2.39511e-07 
Ａ8 =   1.07387e-08 
Ａ10=  -7.33141e-11  
第２面 
Ｒ = -40.563   
Ｋ =   0.000
Ａ4 =  -1.39373e-06  
Ａ6 =   2.18516e-07 
Ａ8 =   4.89856e-09 
Ａ10=  -5.03666e-11  
第３面
Ｒ = -13.518  
Ｋ =   0.000
Ａ4 =  -3.50951e-04 
Ａ6 =   4.80493e-05
Ａ8 =  -1.56011e-06 
Ａ10=   1.91666e-08  
第４面
Ｒ =   5.165 
Ｋ =   0.000
Ａ4 =  -1.28818e-03 
Ａ6 =   3.45126e-05 
Ａ8 =  -1.42120e-07 
Ａ10=  -6.95325e-08  
第８面
Ｒ =   5.293  
Ｋ =   0.519
Ａ4 =  -6.26610e-04 
Ａ6 =   8.84092e-05 
Ａ8 =  -1.62349e-05 
Ａ10=   2.48408e-06  
第９面
Ｒ = -41.027 
Ｋ =   0.000
Ａ4 =   9.89234e-04 
Ａ6 =   1.57976e-04 
Ａ8 =  -2.40891e-05 
Ａ10=   4.63539e-06  
第１３面
Ｒ =  11.765  
Ｋ =   0.000
Ａ4 =   6.00707e-05 
Ａ6 =  -8.23673e-06  
第１４面
Ｒ = -643.914 
Ｋ =    0.000
Ａ4 =    1.66629e-04 
Ａ6 =   -1.08820e-05 
Ａ8 =    2.04069e-08 
Ａ10=    1.12478e-09  
ズームデータ（∞）
ＷＥ    ＳＴ１    ＳＴ２    ＳＴ３    ＴＥ
ｆ（mm）       6.45     9.55     14.13     20.91     30.83
ＦNO              2.99     3.31     3.65      4.05      4.9
２ω（゜）     69.61    43.49    29.24     19.73     13.25
ｄ2             1        4.022    6.775     9.763     11.424
ｄ6             9.721    6.66     4.024     2.342     1
ｄ12            1.8      2.762    4.226     7.884     14.053
ｄ14            4.323    5.028    5.786     5.403     4.269
【０１９１】
実施例３
ｒ1 =   22.761（非球面）   ｄ1 =  3.000    ｎd1 =  1.49700   νd1 =  81.54
ｒ2 =  -27.953（非球面）   ｄ2 = （可変）  
ｒ3 =  -11.246（非球面）   ｄ3 =  0.900    ｎd2 =  1.80610   νd2 =  40.92
ｒ4 =    5.463（非球面）   ｄ4 =  0.950
ｒ5 =    7.356             ｄ5 =  1.800    ｎd3 =  1.92286   νd3 =  18.90
ｒ6 =   15.297             ｄ6 = （可変） 
ｒ7 =    ∞（絞り）        ｄ7 =  0.100
ｒ8 =    4.618             ｄ8 =  3.794    ｎd4 =  1.72916   νd4 =  54.68
ｒ9 =  -10.974             ｄ9 =  0.900    ｎd5 =  1.84666   νd5 =  23.78
ｒ10=    9.435（非球面）   ｄ10= （可変） 
ｒ11=    9.935（非球面）   ｄ11=  1.900    ｎd6 =  1.84666   νd6 =  23.78
ｒ12=   22.957（非球面）   ｄ12= （可変） 
ｒ13=    ∞                ｄ13=  0.500    ｎd7 =  1.54771   νd7 =  62.84
ｒ14=    ∞                ｄ14=  0.500
ｒ15=    ∞                ｄ15=  0.500    ｎd8 =  1.51633   νd8 =  64.14
ｒ16=    ∞                ｄ16=  0.600
ｒ17=    ∞受光面（像面） 
非球面係数
第１面
Ｒ =  22.761 
Ｋ =   4.871
Ａ4 =   2.40819e-05 
Ａ6 =  -2.61804e-06 
Ａ8 =   4.73401e-08 
Ａ10=  -6.93734e-10  
第２面
Ｒ = -27.953 
Ｋ = -24.594
Ａ4 =  -5.03888e-06 
Ａ6 =  -1.45098e-06 
Ａ8 =   4.01677e-08
Ａ10=  -5.89568e-10  
第３面 
Ｒ = -11.246 
Ｋ = -20.250
Ａ4 =  -4.89004e-04 
Ａ6 =  -2.57063e-06 
Ａ8 =   2.16378e-06 
Ａ10=  -1.05342e-07 
Ａ12=   1.57598e-09  
第４面
Ｒ =   5.463 
Ｋ =  -1.195
Ａ4 =   1.76802e-03 
Ａ6 =  -1.48351e-04  
Ａ8 =   1.48125e-05 
Ａ10=  -6.56627e-07  
Ａ12=   9.59896e-09  
第１０面
Ｒ =   9.435 
Ｋ =  -2.680
Ａ4 =   3.42862e-03 
Ａ6 =   2.68488e-04 
Ａ8 =  -1.34268e-05 
Ａ10=   5.14048e-06  
第１１面
Ｒ =   9.935 
Ｋ =  -3.199
Ａ4 =   3.97971e-04 
Ａ6 =   1.44767e-05
Ａ8 =  -3.07455e-06
Ａ10=   7.91400e-08  
第１２面
Ｒ =  22.957 
Ｋ =  -9.550
Ａ4 =   3.13525e-04 
Ａ6 =  -3.56291e-06 
Ａ8 =  -2.92811e-06
Ａ10=   8.98009e-08  
ズームデータ（∞）
ＷＥ     ＳＴ１    ＳＴ２    ＳＴ３    ＴＥ
ｆ（mm）      6.72     10.1      15.07     22.12     33.05
ＦNO           3.15     3.53      4.11      4.33      5
２ω（゜）    65.95    41.57     28.03     19.09     12.99
ｄ2            1.002    3.466     4.77      9.063     10.761
ｄ6            9.624    6.472     3.491     2.926     1
ｄ10           2.3      2.938     3.472     8.723     13.689
ｄ12           5.36     6.588     8.895     6.489     6.106
【０１９２】
実施例４
ｒ1 =   15.917（非球面）   ｄ1 =  3.300    ｎd1 =  1.49700   νd1 =  81.54
ｒ2 =  -67.319             ｄ2 = （可変）  
ｒ3 =  -14.932（非球面）   ｄ3 =  0.900    ｎd2 =  1.78800   νd2 =  47.37
ｒ4 =    4.110（非球面）   ｄ4 =  0.861
ｒ5 =    6.353（非球面）   ｄ5 =  1.500    ｎd3 =  1.84666   νd3 =  23.78
ｒ6 =   16.929（非球面）   ｄ6 = （可変）  
ｒ7 =    ∞（絞り）        ｄ7 =  0.100
ｒ8 =    4.949             ｄ8 =  4.326    ｎd4 =  1.72916   νd4 =  54.68
ｒ9 =   -7.130             ｄ9 =  0.700    ｎd5 =  1.84666   νd5 =  23.78
ｒ10=   12.328（非球面）   ｄ10 = （可変） 
ｒ11=   14.123（非球面）   ｄ11=  1.900    ｎd6 =  1.84666   νd6 =  23.78
ｒ12= -287.298（非球面）   ｄ12= （可変） 
ｒ13=    ∞                ｄ13=  0.500    ｎd7 =  1.54771   νd7 =  62.84
ｒ14=    ∞                ｄ14=  0.500
ｒ15=    ∞                ｄ15=  0.500    ｎd8 =  1.51633   νd8 =  64.14
ｒ16=    ∞                ｄ16=  0.600
ｒ17=    ∞受光面（像面） 
非球面係数
第１面
Ｒ =  15.917 
Ｋ =  -0.599
Ａ4 =   5.37009e-06 
Ａ6 =  -2.47696e-07 
Ａ8 =   4.36761e-09 
Ａ10=  -3.25099e-11  
第３面
Ｒ = -14.932 
Ｋ = -63.368
Ａ4 =  -1.50715e-03 
Ａ6 =   4.10980e-05 
Ａ8 =   5.35980e-07 
Ａ10=  -3.65971e-08 
Ａ12=   4.29176e-10  
第４面
Ｒ =   4.110 
Ｋ =  -1.532
Ａ4 =   1.49250e-03 
Ａ6 =  -1.54909e-04 
Ａ8 =   1.87926e-05 
Ａ10=  -9.67597e-07 
Ａ12=   2.46057e-08  
第５面
Ｒ =   6.353 
Ｋ =  -1.178
Ａ4 =  -6.07153e-04 
Ａ6 =   1.65896e-04 
Ａ8 =  -1.24871e-06 
Ａ10=  -2.98130e-08  
第６面
Ｒ =  16.929 
Ｋ =  -2.656
Ａ4 =  -6.58586e-04  
Ａ6 =   9.76229e-05 
Ａ8 =   4.91541e-06 
Ａ10=  -2.06003e-07  
第１０面
Ｒ =  12.328
Ｋ = -13.681
Ａ4 =   3.53633e-03 
Ａ6 =  -5.47959e-05 
Ａ8 =   5.41497e-05 
Ａ10=  -4.14658e-06  
第１１面
Ｒ =  14.123 
Ｋ =   2.297
Ａ4 =   1.28881e-04 
Ａ6 =  -3.54485e-05 
Ａ8 =   6.66687e-07 
Ａ10=  -2.04292e-08  
第１２面
Ｒ = -287.298 
Ｋ =    0.000
Ａ4 =    3.16377e-04 
Ａ6 =   -4.21901e-05 
Ａ8 =    6.80905e-07 
Ａ10=   -1.21921e-08  
ズームデータ（∞）
ＷＥ     ＳＴ１    ＳＴ２    ＳＴ３    ＴＥ
ｆ（mm）      6.85     10.09     15.26     22.13     32.77
ＦNO           2.81     3.3       3.41      3.6       4.14
２ω（゜）    66.28    43.03     27.97     19.4      13.07
ｄ2            1        0.761     5.993     9.698     11.55
ｄ6            8.7      4.4       3.095     2.416     1
ｄ10           2.3      1.787     3.352     7.932     13.3
ｄ12           5.681    8.508     8.482     6.826     5.462
【０１９３】
実施例５
ｒ1 =  23.111（非球面）    ｄ1 =  3.000    ｎd1 =  1.49700   νd1 =  81.54
ｒ2 = -28.669（非球面）    ｄ2 = （可変） 
ｒ3 = -10.862（非球面）    ｄ3 =  0.900    ｎd2 =  1.80610   νd2 =  40.92
ｒ4 =   5.945（非球面）    ｄ4 =  1.116
ｒ5 =   7.751              ｄ5 =  1.800    ｎd3 =  1.92286   νd3 =  18.90
ｒ6 =  14.939              ｄ6 = （可変） 
ｒ7 =   ∞（絞り）         ｄ7 =  0.226
ｒ8 =   4.395（非球面）    ｄ8 =  2.963    ｎd4 =  1.72916   νd4 =  54.68
ｒ9 = -10.093（非球面）    ｄ9 =  0.445
ｒ10= -10.479              ｄ10=  0.900    ｎd5 =  1.84666   νd5 =  23.78
ｒ11=   6.895（非球面）    ｄ11= （可変） 
ｒ12=  10.678（非球面）    ｄ12=  1.900    ｎd6 =  1.84666   νd6 =  23.78
ｒ13=  34.486（非球面）    ｄ13= （可変）
ｒ14=   ∞                 ｄ14=  0.500    ｎd7 =  1.54771   νd7 =  62.84
ｒ15=   ∞                 ｄ15=  0.500
ｒ16=   ∞                 ｄ16=  0.500    ｎd8 =  1.51633   νd8 =  64.14
ｒ17=   ∞                 ｄ17=  0.600
ｒ18=   ∞受光面（像面） 
非球面係数
第１面
Ｒ =  23.111  
Ｋ =   3.867
Ａ4 =   1.41852e-05 
Ａ6 =  -1.82954e-06  
Ａ8 =   3.31572e-08 
Ａ10=  -5.71417e-10  
第２面
Ｒ = -28.669 
Ｋ = -17.018
Ａ4 =   5.01823e-06 
Ａ6 =  -1.08751e-06 
Ａ8 =   2.11274e-08 
Ａ10=  -4.04896e-10  
第３面
Ｒ = -10.862 
Ｋ = -24.767
Ａ4 =  -5.34390e-04 
Ａ6 =   2.73714e-07  
Ａ8 =   1.63353e-06 
Ａ10=  -6.14871e-08 
Ａ12=   5.82474e-10  
第４面
Ｒ =   5.945 
Ｋ =  -0.979
Ａ4 =   2.00639e-03 
Ａ6 =  -1.57053e-04  
Ａ8 =   8.12819e-06 
Ａ10=   1.51514e-07 
Ａ12=  -1.55486e-08  
第８面
Ｒ =   4.395  
Ｋ =  -0.126
Ａ4 =  -2.31341e-04 
Ａ6 =  -3.42936e-05 
Ａ8 =  -2.38589e-06 
Ａ10=  -6.93781e-07  
第９面
Ｒ = -10.093  
Ｋ =  -1.788
Ａ4 =   1.42181e-04 
Ａ6 =  -1.01877e-04 
Ａ8 =  -1.65182e-05 
Ａ10=   1.56050e-06  
第１１面
Ｒ =   6.895  
Ｋ =  -1.541
Ａ4 =   3.87791e-03 
Ａ6 =   1.24906e-04 
Ａ8 =   1.22878e-04 
Ａ10 = -1.45541e-05  
第１２面
Ｒ =  10.678 
Ｋ =  -2.429
Ａ4 =   1.62650e-04 
Ａ6 =  -4.98070e-06 
Ａ8 =  -7.54471e-07 
Ａ10=   1.29114e-09  
第１３面
Ｒ =  34.486  
Ｋ =  26.492
Ａ4 =  -1.72971e-05 
Ａ6 =  -1.71981e-05 
Ａ8 =  -7.74088e-07  
Ａ10=   1.13106e-08  
ズームデータ（∞）
ＷＥ      ＳＴ１    ＳＴ２    ＳＴ３    ＴＥ
ｆ（mm）      6.72      10.1      14.97     22.16      33.11
ＦNO           3.14      3.57      4.11      4.42       5.08
２ω（゜）    65.77     41.65     28.2      18.99      12.77
ｄ2            1         3.335     5.01      8.895      10.857
ｄ6            9.626     6.439     3.684     2.73       1
ｄ10           2.3       3.156     4.035     8.551      13.689
ｄ12           4.919     6.143     8.089     6.674      6.106
【０１９４】
以上の実施例１〜５の無限遠物点合焦時の収差図をそれぞれ図６〜図１０に示す。これらの収差図において、（ａ）は広角端、（ｂ）は第２の途中状態、（ｃ）は望遠端における球面収差、非点収差、歪曲収差、倍率色収差を示す。各図中、“ω”は半画角を示す。
【０１９５】
次に、各実施例における条件式（１）〜（１７）の値を以下に掲げる。
条件式              実施例１  実施例２  実施例３  実施例４  実施例５
（１）              1.33      1.10      1.28      1.25      1.26   
（２）             -4.54     -4.05     -4.86     -4.91     -4.81  
（３）              2.89      3.03      3.27      3.18      3.36     
（４）              2.17      2.75      2.55      2.55      2.67      
（５）              1.83      2.05      1.33      1.65      1.49      
（６）             -0.54     -0.56     -0.35     -0.42     -0.39      
（７）             -1.18     -0.59     -0.47     -0.61     -0.54       
（８）             -1.51     -1.18     -1.04     -1.11     -1.18      
（９）              2.87      2.36      2.42      2.72      2.36  
（１０）            1.54      2.01      2.19      1.71      2.38      
（１１）            1.08      1.01      0.93      1.03      0.88       
（１２）            0.92      1.09      0.99      1.00      1.04    
（１３）            0.88      0.95      0.91      0.79      0.95      
（１４）           -3.62     -2.62     -2.06     -3.63     -1.83       
（１５）           -2.16     -2.26     -1.16     -0.58     -1.52       
（１６）（１６’）  4.79      4.78      4.92      4.78      4.93      
（１７）            0.70      0.38      0.70      0.70      0.49      
【０１９６】
図１１〜図１３は、以上のようなズームレンズを撮影光学系１４１に組み込んだ本発明によるデジタルカメラの構成の概念図を示す。図１１はデジタルカメラ１４０の外観を示す前方斜視図、図１２は同後方正面図、図１３はデジタルカメラ１４０の構成を示す模式的な断面図である。ただし、図１１と図１３においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図１１の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１９７】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０１９８】
このように構成されたデジタルカメラ１４０は、撮影光学系１４１が本発明により、沈胴時に厚みを極めて薄く、高変倍で全変倍域で結像性能を極めて安定的であるので、高性能・小型化・広角化が実現できる。
【図面の簡単な説明】
【０１９９】
【図１】本発明のズームレンズの実施例１の無限遠物点合焦時の広角端（ａ）、第１の途中状態状態（ｂ）、第２の途中状態状態（ｃ）、第３の途中状態状態（ｄ）、望遠端（ｅ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】実施例１の無限遠物点合焦時の収差図である。
【図７】実施例２の無限遠物点合焦時の収差図である。
【図８】実施例３の無限遠物点合焦時の収差図である。
【図９】実施例４の無限遠物点合焦時の収差図である。
【図１０】実施例５の無限遠物点合焦時の収差図である。
【図１１】本発明によるデジタルカメラの外観を示す前方斜視図である。
【図１２】図１１のデジタルカメラの後方斜視図である。
【図１３】図１２のデジタルカメラの断面図である。
【符号の説明】
【０２００】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｉ…像面
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2007286492.tif 000003
【図２】
2007286492.tif 000004
【図３】
2007286492.tif 000005
【図４】
2007286492.tif 000006
【図５】
2007286492.tif 000007
【図６】
2007286492.tif 000008
【図７】
2007286492.tif 000009
【図８】
2007286492.tif 000010
【図９】
2007286492.tif 000011
【図１０】
2007286492.tif 000012
【図１１】
2007286492.tif 000013
【図１２】
2007286492.tif 000014
【図１３】
2007286492.tif 000015